(57)【特許請求の範囲】
【請求項１】
底面と、前記底面に対して所定間隔を有して対向し、第１開口が形成された枠体と、を含み、前記底面と前記枠体との間に収容空間を形成するハウジングと、
外周を前記枠体における前記第１開口の周辺に囲われた状態で前記収容空間を覆うように前記ハウジングに支持され、原稿を支持可能な第１支持体と、
前記収容空間内に設けられ、前記第１支持体と平行な第１方向に延び、前記第１支持体に支持された原稿の画像を読み取る読取部と、
前記読取部を保持し、前記第１方向に直交する第２方向に往復移動可能な移動体と、
一端部が前記読取部に連結され、中間部が前記底面上に配置され、他端部が前記収容空間の内側又は外側に配置された電気部品に接続され、前記移動体の往復移動に追従可能なフラットケーブルと、を備える画像読取装置であって、
前記ハウジングは、前記底面に形成され、前記フラットケーブルの前記中間部が配線される配線部と、
前記底面から前記第１支持体に向かって突出しつつ前記配線部に沿って前記第２方向に延び、前記枠体における前記第１開口の前記周辺と重なった前記第１支持体の前記外周を支持する支持壁と、をさらに含み、
前記配線部は、前記底面のうちの前記支持壁と前記配線部との間に位置する特定領域よりも高い位置に形成されていることを特徴とする画像読取装置。
【請求項２】
前記特定領域には、前記配線部と前記支持壁との間で凹みを形成し、前記第２方向に延びる溝部が形成されている請求項１記載の画像読取装置。
【請求項３】
前記溝部は、前記配線部の周囲を囲っている請求項２記載の画像読取装置。
【請求項４】
前記ハウジングには、前記底面における前記配線部の周辺から前記第１支持体に向かって突出しつつ前記配線部を囲む立壁が形成されている請求項１乃至３のいずれか１項記載の画像読取装置。
【請求項５】
前記ハウジングには、前記特定領域と前記収容空間の外側とを連通させる第１排出穴が貫設されている請求項１乃至４のいずれか１項記載の画像読取装置。
【請求項６】
前記特定領域には、前記第１排出穴に向けて下り傾斜する傾斜面が形成されている請求項５記載の画像読取装置。
【請求項７】
前記電気部品は、前記底面よりも下側に配置された制御基板であり、
前記フラットケーブルの他端部は、前記配線部に形成された連通穴を通過して前記制御基板に接続され、
前記第１排出穴は、前記支持壁を前記第１方向において通過するように貫設され、
前記底面には、前記第１方向において前記第１排出穴よりも前記フラットケーブルから離間する位置に、第２排出穴が形成されている請求項５又は６記載の画像読取装置。
【請求項８】
前記枠体に装着された金属部材と、
前記収容空間内に配置されたアース部品と、
前記金属部材と前記アース部品とを接続するアースばねと、をさらに備え、
前記アースばねは、前記支持壁及び前記配線部を迂回するように配線されている請求項１乃至７のいずれか１項記載の画像読取装置。
【請求項９】
前記第１支持体を覆う閉鎖位置と、前記第１支持体から離間する開放位置との間で変位可能に前記ハウジングに支持されたカバーと、
前記カバーに設けられ、原稿を１枚ずつ搬送する搬送部と、
前記第１支持体に対して前記第２方向に所定の間隔を有して前記ハウジングに支持され、前記搬送部によって搬送される原稿に接触可能な第２支持体と、をさらに備え、
前記第１支持体及び前記第２支持体の互いに対向する外周端縁同士は、粘着テープによって前記枠体に貼り付けられ、
前記粘着テープは、前記第１方向において前記支持壁を超える位置まで延びている請求項１乃至８のいずれか１項記載の画像読取装置。
【請求項１０】
底面と、前記底面に対して所定間隔を有して対向し、第１開口が形成された枠体と、を含み、前記底面と前記枠体との間に収容空間を形成するハウジングと、
外周を前記枠体における前記第１開口の周辺に囲われた状態で前記収容空間を覆うように前記ハウジングに支持され、原稿を支持可能な第１支持体と、
前記収容空間内に設けられ、前記第１支持体と平行な第１方向に延び、前記第１支持体に支持された原稿の画像を読み取る読取部と、
前記読取部を保持し、前記第１方向に直交する第２方向に往復移動可能な移動体と、
一端部が前記読取部に連結され、中間部が前記底面上に配置され、他端部が前記収容空間の内側又は外側に配置された電気部品に接続され、前記移動体の往復移動に追従可能なフラットケーブルと、を備える画像読取装置であって、
前記ハウジングは、前記底面に形成され、前記フラットケーブルの前記中間部が配線される配線部と、
前記底面から前記第１支持体に向かって突出しつつ前記配線部に沿って前記第２方向に延び、前記枠体における前記第１開口の前記周辺と重なった前記第１支持体の前記外周を支持する支持壁と、をさらに含み、
前記底面のうちの前記配線部を囲む特定領域は、前記配線部よりも低く形成されていることを特徴とする画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、ハウジング、コンタクトガラス、読取部、移動体及びフラットケーブルを備えている。
【０００３】
ハウジングは、底面と、底面に対して所定間隔を有して対向する枠体とを含んでいる。ハウジングは、底面と枠体との間に収容空間を形成している。コンタクトガラスは、その外周を枠体に囲われた状態で収容空間を覆うようにハウジングに支持されている。コンタクトガラスは、その上面によって原稿を支持可能である。読取部は、収容空間内に設けられている。読取部は、コンタクトガラスと平行な主走査方向に延びている。移動体は、読取部を保持し、主走査方向に直交する副走査方向に往復移動可能である。フラットケーブルは、一端部が読取部に連結され、中間部が底面上に配置され、他端部が収容空間の外側に配置された電気部品、具体的には制御部に接続されている。
【０００４】
ハウジングは、配線部と支持壁とをさらに含んでいる。配線部は、底面に形成され、フラットケーブルの中間部が配線される。支持壁は、底面からコンタクトガラスに向かって突出しつつ配線部に沿って副走査方向に延びている。支持壁は、コンタクトガラスの外周の近傍を下面側から支持する。
【０００５】
特許文献１の図８等に図示されているように、底面のうちの支持壁と配線部との間に位置する領域と、配線部とは、面一となっている。つまり、配線部は、上記領域と同じ高さに形成されている。
【０００６】
この画像読取装置では、読取部を保持した移動体が副走査方向に移動しながら、コンタクトガラスに支持された原稿の画像を読み取る。この際、フラットケーブルは、収容空間内で変形しながら、移動体の副走査方向への移動に追従する。
【先行技術文献】
【特許文献】
【０００７】
【特許文献１】特開２０１２−３４１０６号公報
【発明の概要】
【発明が解決しようとする課題】
【０００８】
ところで、画像読取装置に対して液体がかかった場合に、装置の上方から液体が垂れて枠体やコンタクトガラスに広がり、その液体がそれらの隙間を伝い、さらにコンタクトガラスの外周と支持壁との隙間を伝って収容空間内に浸入する可能性がある。ここで、上記従来の画像読取装置のように、配線部が、支持壁と配線部との間に位置する領域と同じ高さに形成されている場合、すなわち、支持壁の下端から配線部までが平坦な面になっている場合、その浸入した液体が支持壁を伝って垂れると、平坦な面を伝って配線部に配置されたフラットケーブルの中間部に到達するおそれがある。そして、その液体は、フラットケーブルを伝って電気部品にまで到達するおそれがある。その結果、この画像読取装置では、浸入した液体によって電気部品が故障するおそれがある。
【０００９】
本発明は、上記従来の実情に鑑みてなされたものであって、収容空間内に浸入する液体がフラットケーブルを伝って電気部品に到達することを抑制でき、ひいては、電気部品の故障を防止できる画像読取装置を提供することを目的とする。
【課題を解決するための手段】
【００１０】
本発明の画像読取装置は、底面と、前記底面に対して所定間隔を有して対向する枠体と、を含み、前記底面と前記枠体との間に収容空間を形成するハウジングと、
外周を前記枠体に囲われた状態で前記収容空間を覆うように前記ハウジングに支持され、原稿を支持可能な第１支持体と、
前記収容空間内に設けられ、前記第１支持体と平行な第１方向に延び、前記第１支持体に支持された原稿の画像を読み取る読取部と、
前記読取部を保持し、前記第１方向に直交する第２方向に往復移動可能な移動体と、
一端部が前記読取部に連結され、中間部が前記底面上に配置され、他端部が前記収容空間の内側又は外側に配置された電気部品に接続され、前記移動体の往復移動に追従可能なフラットケーブルと、を備える画像読取装置であって、
前記ハウジングは、前記底面に形成され、前記フラットケーブルの前記中間部が配線される配線部と、
前記底面から前記第１支持体に向かって突出しつつ前記配線部に沿って前記第２方向に延び、前記第１支持体の前記外周の近傍を支持する支持壁と、をさらに含み、
前記配線部は、前記底面のうちの前記支持壁と前記配線部との間に位置する特定領域よりも高い位置に形成されていることを特徴とする。
【００１１】
本発明の画像読取装置では、配線部が特定領域よりも高い位置に形成されている。このため、第１支持体の外周と支持壁との隙間を伝って収容空間内に浸入した液体が支持壁を伝って垂れる場合でも、その液体は、底面のうちの配線部よりも低い特定領域に溜まる。このため、この画像読取装置では、浸入した液体が配線部に配置されたフラットケーブルの中間部に到達し難く、その液体がフラットケーブルを伝って移動することを抑制できる。
【００１２】
したがって、本発明の画像読取装置では、収容空間内に浸入する液体がフラットケーブルを伝って電気部品に到達することを抑制でき、ひいては、電気部品の故障を防止できる。
【図面の簡単な説明】
【００１３】
【図１】実施例の画像読取装置の斜視図である。
【図２】実施例の画像読取装置の模式正面図である。
【図３】実施例の画像読取装置の模式側面図である。
【図４】実施例の画像読取装置に係り、支持面を開放した状態を示す部分斜視図である。
【図５】実施例の画像読取装置の部分断面図である。
【図６】実施例の画像読取装置に係り、スキャナベース、読取部、移動体及び走査機構等を示す部分斜視図である。
【図７】実施例の画像読取装置に係り、スキャナベースを示す部分斜視図である。
【図８】実施例の画像読取装置に係り、スキャナベース及びアース線を示す部分斜視図である。
【図９】実施例の画像読取装置に係り、（ａ）はスキャナベースを示す部分上面図であり、（ｂ）は（ａ）のＡ−Ａ断面を示す部分断面図である。
【図１０】実施例の画像読取装置に係り、図９（ａ）のＢ−Ｂ断面を示す部分断面図である。
【図１１】実施例の画像読取装置に係り、図９（ａ）のＣ−Ｃ断面を示す部分断面図である。
【図１２】変形例の画像読取装置に係り、図９（ｂ）と同様の断面を示す部分断面図である。
【発明を実施するための形態】
【００１４】
以下、本発明を具体化した実施例を図面を参照しつつ説明する。
【００１５】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１６】
＜構成＞
図１〜図５に示すように、画像読取装置１は、本体部８、カバー９、画像形成ユニット５、読取ユニット３及び搬送部４を備えている。本体部８は、扁平な略箱状体である。図１に示すように、本体部８の前面には、タッチパネル等である操作パネル８Ｐが設けられている。
【００１７】
また、画像読取装置１は、図２及び図３に示すように、制御基板Ｃ１を備えている。制御基板Ｃ１は、本発明の「電気部品」の一例である。制御基板Ｃ１は、本体部８の内部において、左側面に沿って上下方向に延設されている。また、制御基板Ｃ１は、後述するスキャナベース１１０の底壁面１１９よりも下側に配置されている。制御基板Ｃ１は、画像形成ユニット５、読取ユニット３、搬送部４及び操作パネル８Ｐを制御する。
【００１８】
図２に示すように、画像形成ユニット５は、本体部８の下側部分に設けられている。画像形成ユニット５は、インクジェット方式又はレーザ方式等によりシートに画像を形成する。読取ユニット３は、本体部８の上側部分に設けられている。読取ユニット３は、原稿の画像を読み取る際に使用される。搬送部４は、カバー９に設けられている。搬送部４は、複数枚のシートを図２及び図５に示す搬送経路Ｐ１に沿って順次搬送しながら、シートの画像を読取ユニット３に読み取らせる際に使用される。
【００１９】
図４〜図６に示すように、読取ユニット３は、スキャナハウジング１０、第１プラテンガラス８１、第２プラテンガラス８２、キャリッジ２０、読取センサ３Ｓ、走査機構３０及びフラットケーブル７０を備えている。スキャナハウジング１０は、本発明の「ハウジング」の一例である。第１プラテンガラス８１は、本発明の「第１支持体」の一例である。第２プラテンガラス８２は、本発明の「第２支持体」の一例である。キャリッジ２０は、本発明の「移動体」の一例である。読取センサ３Ｓは、本発明の「読取部」の一例である。
【００２０】
図４に示すように、スキャナハウジング１０は、スキャナベース１１０とスキャナトップ１２０とが上下方向から組み合わされてなる。スキャナトップ１２０は、本発明の「枠体」の一例である。スキャナベース１１０及びスキャナトップ１２０は、本実施例では、熱可塑性樹脂の射出成形品である。図６に示すスキャナベース１１０の前側部分は、図４に示すように、操作パネル８Ｐによって上側から覆われている。
【００２１】
図６〜図１１に示すように、スキャナベース１１０には、底壁面１１９、左壁１１１Ｌ、右壁１１１Ｒ、前壁１１１Ａ及び後壁１１１Ｂが形成されている。底壁面１１９は、複数の段部や凹凸を含みつつ、全体として略水平に延在する略矩形平面である。底壁面１１９は、本発明の「ハウジングの底面」の一例である。左壁１１１Ｌ及び右壁１１１Ｒは、底壁面１１９の左右の端縁から上方に向けて突出している。前壁１１１Ａ及び後壁１１１Ｂは、底壁面１１９の前後の端縁から上方に向けて突出している。図６に示すように、前壁１１１Ａにおける左右方向の中間部には、操作パネル支持部１１１Ｐが前向きに膨出するように形成されている。操作パネル支持部１１１Ｐは、操作パネル８を下側から支持する。
【００２２】
図６及び図７に示すように、スキャナベース１１０には、支持壁１１２が形成されている。支持壁１１２は、前壁１１１Ａよりも後側に位置して底壁面１１９から上方に向けて突出し、かつ前壁１１１Ａと略平行に左右方向に延びている。
【００２３】
図６〜図１１に示すように、スキャナベース１１０には、支持壁１１６及び区画壁１１７が形成されている。支持壁１１６は、後壁１１１Ｂよりも前側に位置して底壁面１１９から上方に向けて突出し、かつ後壁１１１Ｂと略平行に左右方向に延びている。区画壁１１７は、左壁１１１Ｌよりも右側に位置して底壁面１１９から上方に向けて突出し、かつ左壁１１１Ｌと略平行に前後方向に延びている。図７〜図９に示すように、支持壁１１６の左端は、区画壁１１７の後端に接続している。
【００２４】
図４及び図５に示すように、スキャナトップ１２０は、第１開口１２９Ａと第２開口１２９Ｂとが形成された枠状部材である。第１開口１２９Ａは、大きな矩形状をなして開口している。第２開口１２９Ｂは、第１開口１２９Ａよりも左側に位置し、前後方向に細長い矩形状をなして開口している。第１プラテンガラス８１は、スキャナトップ１２０の第１開口１２９Ａ側に配置されている。第２プラテンガラス８２は、スキャナトップ１２０の第２開口１２９Ｂ側に配置されている。
【００２５】
図１０及び図１１に示すように、スキャナトップ１２０は、スキャナベース１１０の底壁面１１９に対して所定間隔を有して上側から対向している。図５〜図１１に示すように、スキャナハウジング１０は、スキャナベース１１０の底壁面１１９とスキャナトップ１２０との間に収容空間１０Ａを形成している。図４に示すように、第１プラテンガラス８１は、外周８１Ｅをスキャナトップ１２０の第１開口１２９Ａの周辺によって囲われた状態で収容空間１０Ａを覆うようにスキャナハウジング１０に支持されている。
【００２６】
第１プラテンガラス８１の図４に示す外周８１Ｅは、図示は省略するが、全周に亘って、図示しない両面テープでスキャナトップ１２０に貼り付けられている。そして、第１プラテンガラス８１は、互いに組み合わされるスキャナトップ１２０及びスキャナベース１１０によって挟持されている。より詳しくは、第１プラテンガラス８１の図４に示す外周８１Ｅのうちの前端縁は、スキャナベース１１０の支持壁１１２と、スキャナトップ１２０の前端側に位置する部位とによって挟持されている。第１プラテンガラス８１の外周８１Ｅのうちの右端縁も、スキャナベース１１０の右壁１１１Ｒと、スキャナトップ１２０の右端側に位置する部位とによって挟持されている。図１０に示すように、第１プラテンガラス８１の外周８１Ｅのうちの後端縁も、スキャナベース１１０の支持壁１１６と、スキャナトップ１２０の後側に位置する部位とによって挟持されている。
【００２７】
スキャナトップ１２０における第１開口１２９Ａと第２開口１２９Ｂとの間で前後方向に細長く延びる部分には、図５に示すように、下側から板状の金属部材８８が補強のために取り付けられている。そして、第１プラテンガラス８１の外周８１Ｅのうちの図４及び図５に示す左端縁８１Ｆは、図５に示す粘着テープ８４によって、金属部材８８に貼り付けられている。つまり、第１プラテンガラス８１の左端縁８１Ｆは、スキャナトップ１２０及びスキャナベース１１０によっては挟持されていない。図５に示すように、第２プラテンガラス８２の右端縁８２Ｆも、粘着テープ８４によって、金属部材８８に貼り付けられている。
【００２８】
図１１に示すように、金属部材８８及び粘着テープ８４の後端側は、スキャナベース１１０の支持壁１１６を超える位置まで延びている。図示は省略するが、金属部材８８及び粘着テープ８４の前端側は、スキャナベース１１０の支持壁１１２を超える位置まで延びている。
【００２９】
こうして、第１プラテンガラス８１は、図１０に示すように、スキャナベース１１０の底壁面１１９の間に所定の間隔を有して、スキャナハウジング１０に支持されている。また、第２プラテンガラス８２は、図５に示すように、第１プラテンガラス８１に対して左右方向に所定の間隔を有してスキャナハウジング１０に支持されている。
【００３０】
図４及び図５に示すように、第１プラテンガラス８１の上面は、支持面８１Ａを構成している。支持面８１Ａは、静止した状態の原稿の画像を読取ユニット３が読み取る際に、その原稿を下側から支持する。読取対象の原稿には、用紙、ＯＨＰシート等であるシートの他、書籍等が含まれる。
【００３１】
第２プラテンガラス８２の上面は、読取面８２Ａを構成している。読取面８２Ａは、搬送部４によって１枚ずつ搬送されるシートの画像を読取ユニット３が読み取る際に、その搬送されるシートに下側から接触して案内する。
【００３２】
なお、本実施例においては、支持面８１Ａを使用して画像が読み取られる対象を原稿と記載し、搬送部４により搬送しながら画像が読み取られる対象をシートと記載する。原稿とシートとは、実質的に同じものであってもよい。
【００３３】
図１に示すように、カバー９は、本体部８の後面側上端縁に配設された図示しないヒンジによって、左右方向に延びる開閉軸心Ｘ９周りで揺動可能に支持されている。カバー９は、図１〜図３及び図５に示す閉鎖位置にある場合、原稿支持面８１Ａを上方から覆っている。図４に示すように、カバー９は、その前端部側が上方かつ後方に変位するように開閉軸心Ｘ９周りで揺動することにより、原稿支持面８１Ａを露出させる開放位置に変位する。これにより、ユーザは、読取対象の原稿を原稿支持面８１Ａに支持させることができる。
【００３４】
図１、図２及び図５に示すように、カバー９の上側には、供給トレイ９Ａが設けられている。図５に示すように、搬送部４は、搬送ローラや分離ローラ等の周知の構成を備えている。搬送部４は、供給トレイ９Ａに支持される複数枚のシートを１枚ずつ分離し、搬送経路Ｐ１に沿って順次搬送する。
【００３５】
図６に示すように、キャリッジ２０、読取センサ３Ｓ、走査機構３０及びフラットケーブル７０は、収容空間１０Ａに収容されている。スキャナベース１１０の底壁面１１９上には、ガイドシャフト２９が配設されている。ガイドシャフト２９は、底壁面１１９における前後方向の略中央に位置して、スキャナベース１１０の区画壁１１７側から右壁１１１Ｒ側まで左右方向に延びている。
【００３６】
キャリッジ２０は、前後方向に細長い樹脂製部材である。キャリッジ２０は、スキャナベース１１０の支持壁１１２側から支持壁１１６側まで前後方向に延びている。キャリッジ２０は、ガイドシャフト２９に上側から当接し、ガイドシャフト２９によって、左右方向に案内される。キャリッジ２０の前端部及び後端部には、コロ２０Ｃがそれぞれ２箇所に設けられている。コロ２０Ｃは、第１プラテンガラス８１の下面及び第２プラテンガラス８２の下面に当接して回動する。
【００３７】
走査機構３０は、駆動部３０Ｍ、従動プーリ３２及びタイミングベルト３３を有している。
【００３８】
駆動部３０Ｍは、区画壁１１７に隣接し、かつ、ガイドシャフト２９の左端の近傍に位置している。図示は省略するが、駆動部３０Ｍは、電動モータと、電動モータに噛み合う複数個のギヤ群と、駆動プーリとからなる。また、駆動部３０Ｍは、図６に示すように、金属ブラケット８７を有している。金属ブラケット８７は、電動モータやギヤ群を支持するとともに、電動モータ等のアースを取るためのアース部品を兼ねている。
【００３９】
図６に示すように、従動プーリ３２は、スキャナベース１１０の右壁１１１Ｒに隣接し、かつ、ガイドシャフト２９の右端に対して、後側に位置している。タイミングベルト３３は、駆動部３０Ｍの図示しない駆動プーリと従動プーリ３２とに巻き掛けられた無端ベルトである。図示は省略するが、タイミングベルト３３は、ガイドシャフト２９に沿いながら左右方向に延びる部分のうちの特定箇所において、キャリッジ２０と連結されている。
【００４０】
駆動部３０Ｍが稼動すると、図示しない駆動プーリと従動プーリ３２との間でタイミングベルト３３が循環する。この際、キャリッジ２０は、電動モータの正回転及び逆回転により、収容空間１０Ａ内を左右方向に往復移動可能となっている。
【００４１】
図５及び図６に示すように、読取センサ３Ｓは、収容空間１０Ａ内で第１プラテンガラス８１及び第２プラテンガラス８２に下側から対向可能にキャリッジ２０に支持されている。読取センサ３Ｓは、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。読取センサ３Ｓは、前後方向に延びている。読取センサ３Ｓは、支持面８１Ａに載置される原稿の前後幅を越える程度の長さを有している。読取センサ３Ｓが延びる前後方向は、本発明の「第１方向」の一例である。
【００４２】
図５に示すように、キャリッジ２０は、走査機構３０の駆動部３０Ｍから駆動力を受けて、スキャナベース１１０の底壁面１１９と第１プラテンガラス８１との間を、コロ２０Ｃを第１プラテンガラス８１の下面に当接させながら、左右方向に往復移動する。キャリッジ２０に支持された読取センサ３Ｓも、キャリッジ２０とともに左右方向に往復移動する。キャリッジ２０及び読取センサ３Ｓが往復移動する左右方向は、本発明の「第２方向」の一例である。図５に示す読取センサ３Ｓの位置は、第２プラテンガラス８２に下側から対向する静止読取位置である。
【００４３】
図６に示すように、フラットケーブル７０は、複数本の被覆電線が帯状に接続されてなり、可撓性を有している。図２及び図３に示すように、フラットケーブル７０の一端部７０Ａは、読取センサ３Ｓに連結されている。図２に示すように、フラットケーブル７０は、一端部７０Ａから左向きに延びた後、湾曲部７０Ｄにおいて下向きに湾曲する。フラットケーブル７０は、湾曲部７０Ｄから右向きに延びて、折り返し部７０Ｅで下向きに折り返される。図２及び図６に示すように、フラットケーブル７０は、折り返し部７０Ｅから左向きに延びて、中間部７０Ｂに到る。フラットケーブル７０の折り返し部７０Ｅから中間部７０Ｂまでは、スキャナベース１１０の底壁面１１９上に配置されている。図２及び図３に示すように、フラットケーブル７０は、スキャナベース１１０の底壁面１１９を通過して下向きに伸びて、他端部７０Ｃに到る。フラットケーブル７０の他端部７０Ｃは、収容空間１０Ａの外側に配置された制御基板Ｃ１に接続されている。フラットケーブル７０は、一端部７０Ａから湾曲部７０Ｄまでの長さと、湾曲部７０Ｄから折り返し部７０Ｅまでの長さとを変化させることによって、キャリッジ２０の往復移動に追従可能である。
【００４４】
ここで、フラットケーブル７０の折り返し部７０Ｅから中間部７０Ｂまでがスキャナベース１１０の底壁面１１９上に配置される構成について、詳しく説明する。
【００４５】
図６〜図１１に示すように、スキャナベース１１０の底壁面１１９には、フラットケーブル７０の折り返し部７０Ｅから中間部７０Ｂまでが配線される配線部１３０が形成されている。
【００４６】
配線部１３０は、支持壁１１６から前側に所定距離だけ離間する位置で、支持壁１１６と平行に左右方向に延びている。換言すると、支持壁１１６は、スキャナベース１１０の底壁面１１９から第１プラテンガラス８１に向かって突出しつつ配線部１３０に沿って左右方向に延びている。
【００４７】
図９等に示すように、配線部１３０は、上面視した場合、左右方向に長い矩形状とされている。また、図７等に示すように、配線部１３０は、左右方向に並ぶ複数の平坦面が段状に接続してなる。配線部１３０の右端側は、右壁１１１Ｒの近傍まで伸びているが、右壁１１１Ｒとの間に所定の間隔を有している。配線部１３０の左端側は、区画壁１１７の近傍まで伸びているが、区画壁１１７との間に所定の間隔を有している。配線部１３０の左端側には、連通穴１３０Ｈが上下方向に貫設されている。図６に示すように、フラットケーブル７０は、中間部７０Ｂから下向きに屈曲して連通穴１３０Ｈを通過して制御基板Ｃ１に接続される。
【００４８】
図６〜図１１に示すように、スキャナベース１１０の底壁面１１９のうちの支持壁１１６と配線部１３０との間に位置する領域を特定領域Ｅ１とする。特定領域Ｅ１は、支持壁１１６と配線部１３０との間で左右方向に延びている。そして、特定領域Ｅ１は、配線部１３０の右端側と右壁１１１Ｒとの間で前側に延び、左向きに屈曲している。また、特定領域Ｅ１は、配線部１３０の左端側と区画壁１１７との間で前側に延び、右向きに屈曲している。つまり、特定領域Ｅ１は、配線部１３０を略Ｃ字状に囲んでいる。
【００４９】
図１０及び図１１等に示すように、配線部１３０は、特定領域Ｅ１よりも高い位置に形成されている。換言すると、スキャナベース１１０の底壁面１１９のうちの配線部１３０を囲む特定領域Ｅ１は、配線部１３０よりも低く形成されている。このような特定領域Ｅ１によって、スキャナベース１１０の底壁面１１９に溝部１４０が形成されている。溝部１４０は、配線部１３０と支持壁１１６との間で凹みを形成し、前後方向に延び、さらに配線部１３０の周囲を略Ｃ字状に囲うように延びている。
【００５０】
スキャナベース１１０の底壁面１１９には、立壁１５０が形成されている。立壁１５０は、底壁面１１９における配線部１３０と溝部４１との境界から第１プラテンガラス８１に向かって突出しつつ、配線部１３０と溝部４１との境界に沿って延びて、配線部１３０を略Ｃ字状に囲んでいる。なお、スキャナベース１１０の底壁面１１９には、膨出部１１９Ｂが凸設されている。図８及び図１０等に示すように、膨出部１１９Ｂは、配線部１３０に前側から隣接し、配線部１３０よりも高く突出している。
【００５１】
図８及び図９に示すように、スキャナベース１１０の支持壁１１６の根元側には、第１排出穴１６１Ｌ、１６１Ｒが形成されている。第１排出穴１６１Ｌ、１６１Ｒは、支持壁１１６の左右方向において、略中間部分に間隔を空けて設けられ、底壁面１１９に接する位置で、支持壁１１６を前後方向において通過するように貫設されている。これにより、第１排出穴１６１Ｌ、１６１Ｒは、支持壁１１６よりも前側に位置する特定領域Ｅ１と、支持壁１１６よりも後側に位置する収容空間１０Ａの外側とを連通させる。
【００５２】
図７〜図９に示すように、スキャナベース１１０の底壁面１１９における後壁１１１Ｂの近傍には、第２排出穴１６２Ｌ、１６２Ｒが形成されている。第２排出穴１６２Ｌ、１６２Ｒは、第１排出穴１６１Ｌ、１６１Ｒに対して後側の位置、すなわち、第１排出穴１６１Ｌ、１６１Ｒよりもフラットケーブル７０から離間する位置において上下方向に貫設されている。
【００５３】
詳細には、図７及び図９に示すように、底壁面１１９における第１排出穴１６１Ｌの後側に位置する部分には、第１排出穴１６１Ｌを挟んで右側と左側に、底壁面１１９から第１プラテンガラス８１に向かって突出する仕切壁１１８Ｌ１、１１８Ｌ２が設けられている。両仕切壁１１８Ｌ１、１１８Ｌ２の前端は、支持壁１１６の後面に接続し、両仕切壁１１８Ｌ１、１１８Ｌ２の後端は、後壁１１１Ｂの前面に接続し、前後左右が壁に囲まれたスペースを形成している。その左側に位置する仕切壁１１８Ｌ１の内面に隣接して第２排出穴１６２Ｌが形成されている。
【００５４】
同様に、図８及び図９に示すように、底壁面１１９における第１排出穴１６１Ｒの後側に位置する部分には、第１排出穴１６１Ｒを挟んで右側と左側に、底壁面１１９から第１プラテンガラス８１に向かって突出する仕切壁１１８Ｒ１、１１８Ｒ２が設けられている。両仕切壁１１８Ｒ１、１１８Ｒ２の前端は、支持壁１１６の後面に接続し、両仕切壁１１８Ｒ１、１１８Ｒ２の後端は、後壁１１１Ｂの前面に接続し、前後左右が壁に囲まれたスペースを形成している。その右側に位置する仕切壁１１８Ｒ１の内面に隣接して第２排出穴１６２Ｒが形成されている。
【００５５】
図８、図９（ａ）及び図１１に示すように、画像読取装置１は、アースばね８６をさらに備えている。アースばね８６は、金属線材が折り曲げられてなる。アースばね８６の一端８６Ａは、収容空間１０Ａ内で、図６及び図１１に示す金属ブラケット８７に接続されている。図９（ａ）に示すように、アースばね８６は、一端８６Ａから後向きに伸びた後、配線部１３０を迂回するように、左向きに延びる。そして、アースばね８６は、区画壁１１７に形成された切り欠き１１７Ｃを通過した後、区画壁１１７に沿って後向きに伸びる。さらに、アースばね８６は、支持壁１１６に沿って右向きに延びた後、図８に示すように、上向きにコイル状に延びる。図１１に示すように、アースばね８６の他端８６Ｂは、金属部材８８の後端部に下側から当接する。こうして、アースばね８６は、支持壁１１６及び配線部１３０を迂回するように配線されて、金属部材８８と金属ブラケット８７とを接続している。
【００５６】
＜画像読取動作＞
この画像読取装置１では、キャリッジ２０を移動させながら、読取センサ３Ｓによって支持面８１Ａに支持された原稿の画像を読み取る場合、制御基板Ｃ１が走査機構３０及び読取センサ３Ｓを制御し、駆動部３０Ｍによって、キャリッジ２０に搭載された読取センサ３Ｓを読取ユニット３内における左端側から右端側に移動させる。これにより、読取センサ３Ｓは、支持面８１Ａに載置された原稿の画像を読み取る。読取センサ３Ｓが読み取った画像データは、フラットケーブル７０を経由して、制御基板Ｃ１に伝達される。その後、走査機構３０は、読み取りを終えた読取センサ３Ｓを元の位置に復帰させる。
【００５７】
また、この画像読取装置１では、供給トレイ９Ａに支持される複数枚のシートを搬送部４によって１枚ずつ搬送して画像を読み取る場合、制御基板Ｃ１が走査機構３０及び読取センサ３Ｓを制御し、駆動部３０Ｍによって、キャリッジ２０に搭載された読取センサ３Ｓを読取ユニット３内における左端側に移動させ、静止読取位置に停止させる。そして、搬送部４が供給トレイ９Ａに支持されるシートを搬送経路Ｐ１に沿って順次搬送すると、そのシートが静止読取位置にある読取センサ３Ｓの上側を通過するので、読取センサ３Ｓは、その通過するシートの画像を読み取る。読取センサ３Ｓが読み取った画像データは、フラットケーブル７０を経由して、制御基板Ｃ１に伝達される。その後、走査機構３０は、読み取りを終えた読取センサ３Ｓを元の位置に復帰させる。
【００５８】
＜作用効果＞
実施例の画像読取装置１では、図１０及び図１１等に示すように、配線部１３０が特定領域Ｅ１よりも高い位置に形成されている。換言すると、スキャナベース１１０の底壁面１１９のうちの配線部１３０を囲む特定領域Ｅ１は、配線部１３０よりも低く形成されている。このため、第１プラテンガラス８１の外周８１Ｅと支持壁１１６との隙間を伝って収容空間１０Ａ内に浸入した液体が図１０及び図１１に矢印Ｗ１で示すように支持壁１１６を伝って垂れる場合でも、その液体は、スキャナベース１１０の底壁面１１９のうちの配線部１３０よりも低い特定領域Ｅ１に溜まる。このため、この画像読取装置１では、浸入した液体が配線部１３０に配置されたフラットケーブル７０の中間部７０Ｂに到達し難く、その液体がフラットケーブル７０を伝って移動することを抑制できる。
【００５９】
したがって、実施例の画像読取装置１では、収容空間１０Ａ内に浸入する液体がフラットケーブル７０を伝って制御基板Ｃ１に到達することを抑制でき、ひいては、制御基板Ｃ１やその周辺に配置された電気部品の故障を防止できる。
【００６０】
特に、この画像読取装置１では、図８、図１０及び図１１等に示すように、特定領域Ｅ１に、配線部１３０と支持壁１１６との間で凹みを形成し、第２方向に延びる溝部１４０が形成されている。溝部１４０は、配線部１３０の周囲を囲っている。このような溝部１４０によって、この画像読取装置１では、配線部１３０をスキャナベース１１０の底壁面１１９の特定領域Ｅ１よりも高く設定することを容易に実現できるとともに、浸入した液体を確実に溝部１４０に溜めることができる。
【００６１】
また、この画像読取装置１では、図８、図１０及び図１１等に示すように、スキャナハウジング１０に、スキャナベース１１０の底壁面１１９における配線部１３０の周辺から第１プラテンガラス８１に向かって突出しつつ配線部１３０を囲む立壁１５０が形成されている。このような立壁１５０によって、この画像読取装置１では、浸入した液体が配線部１３０に到達することを抑制できる。このため、この画像読取装置１では、立壁１５０が設けられていない場合と比較して、配線部１３０を低い位置に設定でき、ひいては、スキャナハウジング１０が上下方向において大型化することを抑制できる。
【００６２】
さらに、この画像読取装置１では、図９等に示すように、スキャナハウジング１０に、特定領域Ｅ１と収容空間１０Ａの外側とを連通させる第１排出穴１６１Ｌ、１６１Ｒが貫設されている。第１排出穴１６１Ｌ、１６１Ｒは、支持壁１１６を前後方向において通過するように貫設されている。スキャナベース１１０の底壁面１１９には、後壁１１１Ｂに隣接する位置に、すなわち、前後方向において第１排出穴１６１Ｌ、１６１Ｒよりもフラットケーブル７０から離間する位置に、第２排出穴１６２Ｌ、１６２Ｒが形成されている。これにより、この画像読取装置１では、特定領域Ｅ１に溜まった液体を第１排出穴１６１Ｌ、１６１Ｒを経由して、支持壁１１６よりも後側、すなわち収容空間１０Ａの外側に導くことができる。そして、その液体は、第２排出穴１６２Ｌ、１６２Ｒを経由し、本体部８の後面カバー等の内面を伝って垂れて、本体部８の底部から排出される。この際、仕切壁１１８Ｌ１、１１８Ｌ２、１１８Ｒ１、１１８Ｒ２によって、液体が第１排出穴１６１Ｌ、１６１Ｒから第２排出穴１６２Ｌ、１６２Ｒまで拡散することなく導かれる。その結果、この画像読取装置１では、特定領域Ｅ１に液体が溜まり過ぎて、配線部１３０に到達することを抑制でき、制御基板Ｃ１等の故障を確実に防止できる。なお、第２排出穴１６２Ｌ、１６２Ｒを設ける位置は、制御基板Ｃ１や電気部品から離れた位置に形成することが望ましい。そして、第２排出穴１６２Ｌ、１６２Ｒから排出された液体が、本体部８の内面を伝って垂れる場合にも、その垂れる方向を、制御基板Ｃ１や電気部品から離れる方向に案内する溝等が本体部８に形成されていることが望ましい。
【００６３】
さらに、この画像読取装置１は、スキャナトップ１２０に装着された金属部材８８と、収容空間１０Ａ内に配置された金属ブラケット８７と、金属部材８８と金属ブラケット８７とを接続するアースばね８６と備えている。アースばね８６は、支持壁１１６及び配線部１３０を迂回するように配線されている。これにより、この画像読取装置１では、支持壁１１６及び配線部１３０にアースばね８６のための切り込みや溝を形成する必要がないので、液体がそのような切り込みや溝を伝ってフラットケーブル７０に到達する不具合が生じない。
【００６４】
また、この画像読取装置１は、図５に示す第１プラテンガラス８１の左端縁８１Ｆ及び第２プラテンガラス８２の右端縁８２Ｆの周辺に上方から液体がかかると、その液体は、左端縁８１Ｆ及び右端縁８２Ｆと粘着テープ８４とを伝って、図１１に矢印Ｗ２で示すように、支持壁１１６に超える位置で、すなわち、支持壁１１６を挟んで配線部１３０とは反対側の位置で、垂れるようになる。このため、その液体が配線部１３０に配置されたフラットケーブル７０の中間部７０Ｂに一層到達し難い。
【００６５】
（変形例）
図１２に示すように、変形例の画像読取装置では、特定領域Ｅ１によって形成される溝部１４０の底面の一部に、傾斜面１４０Ｓ、１４０Ｓが形成されている。傾斜面１４０Ｓ、１４０Ｓは、第１排出穴１６１Ｌ、１６１Ｒに向けて下り傾斜している。このような傾斜面１４０Ｓ、１４０Ｓによって、特定領域Ｅ１に溜まった液体を第１排出穴１６１Ｌ、１６１Ｒに導くことができる。
【００６６】
以上において、本発明を実施例に即して説明したが、本発明は上記実施例に制限されるものではなく、その趣旨を逸脱しない範囲で適宜変更して適用できることはいうまでもない。
【００６７】
実施例では、電気部品が制御基板Ｃ１であるがこの構成には限定されない。電気部品は、例えば、収容空間１０Ａの内部に収容されるコネクタや、中間処理基板等であってもよい。
【００６８】
溝部は、直線状に形成されていてもよいし、折れ曲がって、配線部の２辺、３辺又は全周を囲っていてもよい。
【産業上の利用可能性】
【００６９】
本発明は、画像読取装置又は複合機等に利用可能である。
【符号の説明】
【００７０】
１…画像読取装置、１１９…ハウジングの底面（スキャナべースの底壁面）
１２０…枠体（スキャナトップ）、１０Ａ…収容空間
１０…ハウジング（スキャナハウジング）、８１…第１支持体（第１プラテンガラス）
８１Ｅ…第１支持体の外周、３Ｓ…読取部（読取センサ）
２０…移動体（キャリッジ）、７０…フラットケーブル
７０Ａ…フラットケーブルの一端部、７０Ｂ…フラットケーブルの中間部
７０Ｃ…フラットケーブルの他端部、Ｃ１…電気部品（制御基板）
１３０…配線部、１１６…支持壁、Ｅ１…特定領域、１４０…溝部
１５０…立壁、１６１Ｌ、１６１Ｒ…第１排出穴、１４０Ｓ…傾斜面
１３０Ｈ…配線部の連通穴、１６２Ｌ、１６２Ｒ…第２排出穴、９…カバー
８８…金属部材、８７…アース部品（金属ブラケット）、８６…アースばね
４…搬送部、８２…第２支持体（第２プラテンガラス）、８４…粘着テープ
８１Ｆ…第１支持体における第２支持体と対向する外周端縁（左端縁）
８２Ｆ…第２１支持体における第１支持体と対向する外周端縁（右端縁）
【図１】
0006398752.tif 000002
【図２】
0006398752.tif 000003
【図３】
0006398752.tif 000004
【図４】
0006398752.tif 000005
【図５】
0006398752.tif 000006
【図６】
0006398752.tif 000007
【図７】
0006398752.tif 000008
【図８】
0006398752.tif 000009
【図９】
0006398752.tif 000010
【図１０】
0006398752.tif 000011
【図１１】
0006398752.tif 000012
【図１２】
0006398752.tif 000013